(57)【特許請求の範囲】
【請求項１】
筐体の上面に設けられ被加熱体が載置されるとともに光を透過する材料で形成されるトッププレートと、前記トッププレートの下方に設けられ前記被加熱体を加熱する加熱部と、前記トッププレートの下方に設けられ光源及び上端に開口部を有し前記光源を囲む遮光部が設けられた表示部と、を備えた加熱調理器であって、
前記トッププレートには、可視光の透過率を低減する遮光層を下面に備え、
前記遮光層には、文字、記号、絵文字または幾何学形状が切り抜かれて形成される切り抜き部を有し、
前記表示部の前記遮光部の上端が、前記切り抜き部の周囲で前記トッププレートの前記遮光層に当接し、且つ前記切り抜き部の下面に拡散層が形成された加熱調理器。
【請求項２】
前記トッププレートは、下面に特定の波長域の可視光の透過率を他の波長域の透過率より大きくする着色層を設けてなり、前記着色層の下側に前記遮光層を形成する請求項１に記載の加熱調理器。
【請求項３】
前記表示部は、前記加熱部の周囲に設けられ前記被加熱体の載置部を表示してなる請求項１または２に記載の加熱調理器。
【請求項４】
前記トッププレートの下方に設けられ前記被加熱体の底面温度を測定する赤外線センサを備え、前記赤外線センサの検出温度に基づき前記被加熱体の温度を制御する制御部を備え、前記表示部は、前記加熱部の手前側に設けられた請求項１〜３のいずれか１項に記載の加熱調理器。
【発明の詳細な説明】
【技術分野】
【０００１】
本発明は、光源を備えた加熱調理器に関するものである。
【背景技術】
【０００２】
従来、この種の加熱調理器は、トッププレートの下方に表示部と温度検知手段とを備え、前記表示部は上端に光拡散シートを備え、前記温度検知手段が検知した温度により被加熱体の温度を制御することにより、前記光拡散シートの熱変形を防止するように構成されている。また、前記トッププレートと前記表示部との間に空気層を設けることにより、前記光拡散シートの熱変形を防止するように構成されているものもある（例えば、特許文献１参照）。
【先行技術文献】
【特許文献】
【０００３】
【特許文献１】特開２００４−２８１３４３号公報
【特許文献２】特開２００３−０８６３３７号公報
【発明の概要】
【発明が解決しようとする課題】
【０００４】
しかしながら、前記従来の構成では、温度検知手段が誤作動を起こした場合に光拡散シートが熱変形を起こし、使用者の視認性が低下してしまうという課題を有していた。また、トッププレートと表示部の間に空気層を設けることにより、前記表示部の光が前記空気層を介して前記トッププレートの略平面方向に拡散し、前記空気層がない場合に比べて前記トッププレートの上方へ透過する光量が低下してしまうという課題も有していた。
【０００５】
本発明は、前記従来の課題を解決するもので、トッププレートの上方へ透過する光量を増加させることで、使用者の視認性を向上する加熱調理器を提供することを目的とする。
【課題を解決するための手段】
【０００６】
前記従来の課題を解決する為に、本発明の加熱調理器は、筐体の上面に設けられ被加熱体が載置されるとともに光を透過する材料で形成されるトッププレートと、前記トッププレートの下方に設けられ前記被加熱体を加熱する加熱部と、前記トッププレートの下方に設けられ光源及び上端に開口部を有し前記光源を囲む遮光部が設けられた表示部と、を備えた加熱調理器であって、前記トッププレートには、可視光の透過率を低減する遮光層を下面に備え、前記遮光層には、文字、記号、絵文字または幾何学形状が切り抜かれて形成される切り抜き部を有し、前記表示部の前記遮光部の上端が、前記切り抜き部の周囲で前記トッププレートの前記遮光層に当接し、且つ前記切り抜き部の下面に拡散層が形成されたものである。
【０００７】
これによって、前記トッププレートと前記表示部の間に空気層を設けない、且つ光源は切り抜き部以外において遮光されていることにより、前記表示部の光が前記空気層を介して前記トッププレートの略平面方向に拡散することを防ぎ、前記空気層がある場合に比べて前記トッププレートの上方へ透過する光量を増加されることが可能となる。
【発明の効果】
【０００８】
本発明の加熱調理器は、表示部の光が空気層を介してトッププレートの略平面方向に拡散することを防ぎ、トッププレートの上方へ透過する光量を増加させることで、使用者の視認性を向上させることが出来る。
【図面の簡単な説明】
【０００９】
【図１】本発明の実施の形態１における加熱調理器の平面図
【図２】本発明の実施の形態１における加熱調理器の断面図
【図３】本発明の実施の形態１における加熱調理器の表示部近傍を示す要部拡大平面図
【図４】本発明の実施の形態１における加熱調理器の要部拡大断面図
【図５】本発明の実施の形態２における加熱調理器の表示部近傍の要部拡大断面図
【図６】本発明の実施の形態３における加熱調理器の表示部近傍を示す要部拡大平面図
【図７】本発明の実施の形態３における加熱調理器の表示部近傍の要部拡大断面図
【図８】本発明の実施の形態４における加熱調理器の要部拡大断面図
【発明を実施するための形態】
【００１０】
第１の発明は、筐体の上面に設けられ被加熱体が載置されるとともに光を透過する材料で形成されるトッププレートと、前記トッププレートの下方に設けられ前記被加熱体を加熱する加熱部と、前記トッププレートの下方に設けられ光源及び上端に開口部を有し前記光源を囲む遮光部が設けられた表示部と、を備えた加熱調理器であって、前記トッププレートには、可視光の透過率を低減する遮光層を下面に備え、前記遮光層には、文字、記号、絵文字または幾何学形状が切り抜かれて形成される切り抜き部を有し、前記表示部の前記遮光部の上端が、前記切り抜き部の周囲で前記トッププレートの前記遮光層に当接し、且つ前記切り抜き部の下面に拡散層が形成される構成としたことにより、前記トッププレートと前記表示部の間に空気層を設けない、且つ光源は切り抜き部以外において遮光されていることにより、前記表示部の光が前記空気層を介して前記トッププレートの略平面方向に拡散することを防ぎ、前記空気層がある場合に比べて前記トッププレートの上方へ透過する光量を増加させることが可能となり、使用者の視認性を向上させることが出来る。
【００１１】
第２の発明は、特に、第１の発明の前記トッププレートは、下面に特定の波長域の可視光の透過率を他の波長域の透過率より大きくする着色層を設けてなり、前記着色層の下側に前記遮光層を形成する構成としたことにより、前記トッププレートの色を黒色系だけでなく明るい光沢のある色合いのものにすることで意匠性を高めるとともに、トッププレートの上方へ透過する光量を増加させることが可能となり、使用者の視認性を向上させることが出来る。
【００１２】
第３の発明は、特に、第１または第２の発明の前記表示部は、前記加熱部の周囲に設けられ前記被加熱体の載置部を表示してなる構成としたことにより、前記載置部が使用者から視認されやすくすることができる。
【００１３】
第４の発明は、特に、第１〜３のいずれか１つの発明において、前記トッププレートの
下方に設けられ前記被加熱体の底面温度を測定する赤外線センサを備え、前記赤外線センサの検出温度に基づき前記被加熱体の温度を制御する制御部を備え、前記表示部は、前記加熱部の手前側に設けられた構成としたことにより、前記構成をとらなかった場合に比べて前記赤外線センサへの外乱光を抑制して制御の精度を向上することが出来る。
【００１４】
以下、本発明の実施の形態について、図面を参照しながら説明する。なお、この実施の形態によって本発明が限定されるものではない。
【００１５】
（実施の形態１）
図１は本発明の第１の実施の形態における加熱調理器の平面図、図２は本発明の第１の実施の形態における加熱調理器の断面図、図３は本発明の第１の実施の形態における加熱調理器の表示部近傍を示す要部拡大平面図、図４は本発明の第１の実施の形態における加熱調理器の要部拡大断面図である。
【００１６】
図１、図２、図３、および図４において、筐体３０の上面に設けられ被加熱体３２が載置されるとともに光を透過する材料で形成されるトッププレート３４と、トッププレート３４の下方に設けられ被加熱体３２を加熱する加熱部３６と、トッププレート３４の下方に設けられ光源３８及び上端に開口部を有し光源３８を囲む遮光部４０が設けられた表示部４２とを備え、トッププレート３４は可視光の透過率を低減する遮光層４４を下面に備え、遮光層４４は、文字、記号、絵文字または幾何学形状が切り抜かれて形成される切り抜き部４６を有し、表示部４２の上端が切り抜き部４６の周囲でトッププレート３４に当接し、且つ切り抜き部４６の下面に拡散層４８が形成される構成としている。
【００１７】
以上のように構成された加熱調理器について、以下その動作、作用を説明する。
【００１８】
まず、光源３８から発せられた光は直接もしくは遮光部４０の内壁を反射しながら上方のトッププレート３４へ向かっていき、拡散層４８を介して切り抜き部４６を通過することになる。光源３８は切り抜き部４６以外において遮光されていることにより、遮光層４４と遮光部４０の間に空気層または拡散層４８を設ける場合に比べ、トッププレート３４の上方へ透過する光量を増加されることが可能となる。
【００１９】
以上のように、本実施の形態においては、表示部４２の上端が切り抜き部４６の周囲でトッププレート３４に当接し、且つ切り抜き部４６の下面に拡散層４８が形成される構成としたことにより、トッププレート３４の上方へ透過する光量を増加させることが可能となり、使用者の視認性を向上させることが可能となる。
【００２０】
また、拡散層４８は、遮光層４４の下面に印刷などの手段により固化された状態で形成されることにより、拡散層４８に樹脂で形成されたシート状の光拡散板や光拡散シートを用いる場合に比べ、加熱中の被加熱体３２が表示部４２の上方に載置された場合に拡散層４８が熱変形を起こすことによる視認性の低下を防ぐことが出来る。
【００２１】
（実施の形態２）
図５は、本発明の第２の実施の形態における加熱調理器の表示部近傍の要部拡大断面図を示すものであり、実施の形態１と異なるところを説明する。尚、実施の形態１と同一部分には同一符号を付している。
【００２２】
図５において、トッププレート３４は、下面に特定の波長域の可視光の透過率を他の波長域の透過率より大きくする着色層５０を設けてなり、着色層５０の下側に遮光層４４を形成する構成としている。
【００２３】
以上のように構成された加熱調理器について、以下その動作、作用を説明する。
【００２４】
この構成によって、トッププレート３４の色を黒色系だけでなく明るい光沢のある色合いのものにすることで意匠性を高めるとともに、トッププレート３４の上方へ透過する光量を増加させることが可能となり、使用者の視認性を向上させることが出来る。
【００２５】
（実施の形態３）
図６は本発明の第３の実施の形態における加熱調理器の表示部近傍を示す要部拡大平面図、図７は本発明の第３の実施の形態における加熱調理器の表示部近傍の要部拡大断面図を示すものであり、実施の形態１と異なるところを説明する。尚、実施の形態１と同一部分には同一符号を付している。
【００２６】
図６、図７において、表示部４２は、加熱部３６の周囲に設けられ被加熱体３２の載置部を表示してなる構成としている。
【００２７】
以上のように構成された加熱調理器について、以下その動作、作用を説明する。
【００２８】
この構成によって、前記載置部が使用者から視認されやすくすることができる。
【００２９】
（実施の形態４）
図８は、本発明の第４の実施の形態における加熱調理器の要部拡大断面図を示すものであり、実施の形態１と異なるところを説明する。尚、実施の形態１と同一部分には同一符号を付している。
【００３０】
図８において、加熱調理器は、トッププレート３４の下方に設けられ被加熱体３２の底面温度を測定する赤外線センサ５２を備え、赤外線センサ５２の検出温度に基づき被加熱体３２の温度を制御する制御部５４を備え、表示部４２が加熱部３６の手前側に設けられた構成としている。
【００３１】
以上のように構成された加熱調理器について、以下その動作、作用を説明する。
【００３２】
この構成によって、前記構成をとらなかった場合に比べて表示部４２および切り抜き部４６から赤外線センサ５２へ入射する外乱光を抑制して制御の精度を向上することができる。
【産業上の利用可能性】
【００３３】
以上のように、本発明にかかる加熱調理器は、表示部の視認性および耐久性の向上が図れ、デザイン性および使い勝手の大幅な向上を図ることが出来るので、トッププレートを有する誘導加熱式、ハロゲン式、ラジエント式、及びガス式ヒーターを含むあらゆる組み合わせの単体もしくは複合の調理器に有効である。
【符号の説明】
【００３４】
３０  筐体
３２  被加熱体
３４  トッププレート
３６  加熱部
３８  光源
４０  遮光部
４２  表示部
４４  遮光層
４６  切り抜き部
４８  拡散層
５０  着色層
５２  赤外線センサ
５４  制御部
【図１】
0005681913.tif 000002
【図２】
0005681913.tif 000003
【図３】
0005681913.tif 000004
【図４】
0005681913.tif 000005
【図５】
0005681913.tif 000006
【図６】
0005681913.tif 000007
【図７】
0005681913.tif 000008
【図８】
0005681913.tif 000009